(57)【要約】【課題】ＣＡＴＶシステムにおいて、伝送信号の信号レベルが全伝送周波数帯域の中央の周波数領域で低下するのを防止するのに好適なイコライザを提供する。【解決手段】ローパスフィルタとハイパスフィルタとで構成された入・出力フィルタ１０、１８を備えたＣＡＴＶシステム用の増幅装置では、各フィルタ１０、１８での伝送信号の通過特性によって、伝送信号の全伝送周波数帯域において、低周波側及び高周波側の周波数領域よりも中央の周波数領域の方が大きく減衰される。そこで、これら各フィルタ１０、１６で生じる伝送信号の減衰特性を補正するために、低域側イコライザ１２及び高域側イコライザ１４を設け、これら各イコライザ１２、１４を介して、伝送信号の全伝送周波数帯域において、特定周波数よりも低周波側では伝送信号をチルト特性にて減衰させ、特定周波数よりも高周波側では伝送信号を逆チルト特性にて減衰させる。【選択図】図２
2009201022.tif 000002
【特許請求の範囲】
【請求項１】
ＣＡＴＶシステムの伝送経路上に設けられ、該伝送経路を流れる伝送信号の周波数特性を調整するイコライザであって、
前記ＣＡＴＶシステムの伝送周波数帯域の略中間に位置する特定周波数よりも高い周波数領域では、減衰量が略一定値となり、前記特定周波数よりも低い周波数領域では、伝送信号の周波数が低くなるほど程減衰量が大きくなるよう設定された第１減衰回路と、
前記第１減衰回路での前記特定周波数よりも低周波側での周波数に対する減衰量の傾斜特性を調整するための第１傾斜特性調整回路と、
を備えたことを特徴とするＣＡＴＶシステム用イコライザ。
【請求項２】
前記特定周波数よりも低い周波数領域では、減衰量が略一定値となり、前記特定周波数よりも高い周波数領域では、伝送信号の周波数が高くなるほど程減衰量が大きくなるように設定された第２減衰回路と、
前記第２減衰回路での前記特定周波数よりも高周波側での周波数に対する減衰量の傾斜特性を調整するための第２傾斜特性調整回路と、
を備えたことを特徴とする請求項１に記載のＣＡＴＶシステム用イコライザ。
【請求項３】
ＣＡＴＶシステムの伝送経路を流れる伝送信号を増幅する増幅回路と、
該増幅回路への伝送信号の入力側及び出力側にそれぞれ設けられ、前記ＣＡＴＶシステムの伝送周波数帯域内の伝送信号を選択的に通過させる入力フィルタ及び出力フィルタと、
を備えたＣＡＴＶシステム用増幅装置であって、
前記入力フィルタ、増幅回路、及び出力フィルタからなる当該増幅装置内の伝送経路上に、請求項１又は請求項２に記載のイコライザが設けられたことを特徴とするＣＡＴＶシステム用増幅装置。
【請求項４】
伝送経路上に、請求項１又は請求項２に記載のＣＡＴＶシステム用イコライザ、若しくは、請求項３に記載のＣＡＴＶシステム用増幅装置を備えたことを特徴とするＣＡＴＶシステム。
【発明の詳細な説明】
【技術分野】
【０００１】
本発明は、ＣＡＴＶシステムの伝送経路上に設けられて伝送信号の周波数特性を調整するイコライザ、このイコライザを内蔵した増幅装置、及び、このイコライザ若しくは増幅装置を伝送経路上に備えたＣＡＴＶシステムに関する。
【背景技術】
【０００２】
従来、ＣＡＴＶシステムの伝送経路上には、伝送信号を増幅するための増幅装置が所定間隔で複数設けられている。
この増幅装置には、伝送信号を増幅するための増幅回路に加えて、増幅回路に対し、増幅すべき伝送信号を選択的に入力するための入力フィルタと、増幅回路にて増幅された伝送信号を選択的に出力するための出力フィルタとが設けられている。
【０００３】
そして、ＣＡＴＶシステムにおいては、伝送信号（詳しくはヘッドエンド側から端末側に流れる下り信号）の伝送周波数帯域が、例えば、７０ＭＨｚ〜４５０ＭＨｚ、或いは、７０ＭＨｚ〜７７０ＭＨｚというように広帯域であることから、増幅装置において、この下り信号を増幅する際には、入力フィルタ及び出力フィルタとして、ハイパスフィルタや、ハイパスフィルタとローパスフィルタとを組み合わせたものが使用されている（例えば、特許文献１等、参照）。
【０００４】
つまり、入力フィルタや出力フィルタを、広帯域な下り信号を選択的に通過させることのできるバンドパスフィルタにて構成するには、ＳＡＷフィルタ等の高価なフィルタを使用する必要があることから、従来では、入力フィルタ及び出力フィルタを低コストで実現するために、これら各フィルタを、コイルＬとコンデンサＣとを用いて低コストで構成し得るハイパスフィルタやローパスフィルタにて構成しているのである。
【特許文献１】特開２００５−１５９６７２号公報
【発明の開示】
【発明が解決しようとする課題】
【０００５】
ところが、上記のように、入力フィルタ及び出力フィルタを、コイルＬとコンデンサＣとからなるハイパスフィルタにて構成することで、伝送周波数帯域よりも低周波側の信号（上り信号等）が通過するのを阻止するようにしたり、或いは、入力フィルタ及び出力フィルタを、コイルＬとコンデンサＣとからなるハイパスフィルタとローパスフィルタとを組み合わせて構成することで、伝送周波数帯域よりも低周波側及び高周波側の信号の通過を阻止するようにすると、入力フィルタ及び出力フィルタで生じる伝送信号の減衰特性によって、下り信号の伝送周波数帯域内で、低域側或いは高域側の周波数帯域の信号よりも中央の周波数帯域の信号の方が大きく減衰されてしまうという問題があった。
【０００６】
つまり、コイルＬとコンデンサＣとで構成されるハイパスフィルタやバンドパスフィルタは、カットオフ周波数付近では、伝送インピーダンスをＣＡＴＶシステムの伝送経路の伝送インピーダンスと略一致させて、整合させることができるが、下り信号の全伝送周波数帯域で伝送インピーダンスを一致させることはできず、各フィルタのカットオフ周波数から離れた中央の周波数領域では、伝送インピーダンスの不整合により伝送損失が大きくなってしまうのである。
【０００７】
この結果、従来の増幅装置では、下り信号の増幅特性を全伝送周波数帯でフラット若しくは所望の傾斜特性にすることができないという問題があった。そして、特に、ＣＡＴＶシステムでは、伝送経路上にこの種の増幅装置が多数配置されており、ヘッドエンドから遠くの端末までの伝送経路上では、各増幅装置で生じる伝送信号の伝送損失が加算されることから、ヘッドエンドから遠く離れた端末まで、下り信号を適正に伝送することができないことがあった。
【０００８】
なお、傾斜特性とは、ＣＡＴＶシステムの伝送経路で生じる伝送信号の減衰特性（周波数特性であり、所謂√ｆ特性）を補正するために、所謂チルト回路（例えば上記特許文献１に記載のスロープ回路）を使って、伝送信号の高周波側程信号レベルが高くなるように設定される特性である。
【０００９】
本発明は、こうした問題に鑑みなされたものであり、ＣＡＴＶシステムにおいて、伝送信号の信号レベルが全伝送周波数帯域の中央の周波数領域で低下するのを防止するのに好適なイコライザ、及び、このイコライザを内蔵した増幅装置、並びに、このイコライザ若しくは増幅装置を伝送経路上に備えたＣＡＴＶシステムを提供することを目的とする。
【課題を解決するための手段】
【００１０】
かかる目的を達成するためになされた請求項１に記載の発明は、ＣＡＴＶシステムの伝送経路上に設けられ、該伝送経路を流れる伝送信号の周波数特性を調整するＣＡＴＶシステム用イコライザであって、前記ＣＡＴＶシステムの伝送周波数帯域の略中間に位置する特定周波数よりも高い周波数領域では、減衰量が略一定値となり、前記特定周波数よりも低い周波数領域では、伝送信号の周波数が低くなるほど程減衰量が大きくなるよう設定された第１減衰回路と、前記第１減衰回路での前記特定周波数よりも低周波側での周波数に対する減衰量の傾斜特性を調整するための第１傾斜特性調整回路と、を備えたことを特徴とする。
【００１１】
また、請求項２に記載の発明は、請求項１に記載のＣＡＴＶシステム用イコライザにおいて、更に、前記特定周波数よりも低い周波数領域では、減衰量が略一定値となり、前記特定周波数よりも高い周波数領域では、伝送信号の周波数が高くなるほど程減衰量が大きくなるように設定された第２減衰回路と、前記第２減衰回路での前記特定周波数よりも高周波側での周波数に対する減衰量の傾斜特性を調整するための第２傾斜特性調整回路と、
を備えたことを特徴とする。
【００１２】
次に、請求項３に記載の発明は、ＣＡＴＶシステムの伝送経路を流れる伝送信号を増幅する増幅回路と、該増幅回路への伝送信号の入力側及び出力側にそれぞれ設けられ、前記ＣＡＴＶシステムの伝送周波数帯域内の伝送信号を選択的に通過させる入力フィルタ及び出力フィルタと、を備えたＣＡＴＶシステム用増幅装置であって、前記入力フィルタ、増幅回路、及び出力フィルタからなる当該増幅装置内の伝送経路上に、請求項１又は請求項２に記載のイコライザが設けられたことを特徴とする。
【００１３】
また請求項４に記載の発明は、ＣＡＴＶシステムであって、伝送経路上に、請求項１又は請求項２に記載のＣＡＴＶシステム用イコライザ、若しくは、請求項３に記載のＣＡＴＶシステム用増幅装置を備えたことを特徴とする。
【発明の効果】
【００１４】
請求項１に記載のイコライザには、ＣＡＴＶシステムの伝送周波数帯域の略中間に位置する特定周波数よりも高い周波数領域では、減衰量が略一定値となり、特定周波数よりも低い周波数領域では、伝送信号の周波数が低くなるほど程減衰量が大きくなるよう設定された第１減衰回路が設けられており、この第１減衰回路での特定周波数よりも低周波側での周波数に対する減衰量の傾斜特性を、第１傾斜特性調整回路を介して調整できるようにされている。
【００１５】
このため、請求項１に記載のイコライザによれば、ＣＡＴＶシステムの伝送経路上の増幅装置内に、入力フィルタ或いは出力フィルタとして、ハイパスフィルタが設けられており、このハイパスフィルタでの伝送信号の通過特性によって、伝送信号の全伝送周波数のうち、低域側の周波数帯域の信号よりも中央の周波数帯域の信号の方が大きく減衰される場合に、第１傾斜特性調整回路を介して、第１減衰回路での減衰量の傾斜特性を調整することで、伝送信号の伝送特性を所望特性に補正することができる。
【００１６】
次に、請求項２に記載のイコライザには、第１減衰回路及び第１傾斜特性調整回路に加えて、特定周波数よりも低い周波数領域では、減衰量が略一定値となり、特定周波数よりも高い周波数領域では、伝送信号の周波数が高くなるほど程減衰量が大きくなるように設定された第２減衰回路が設けられており、この第２減衰回路での特定周波数よりも高周波側での周波数に対する減衰量の傾斜特性を、第２傾斜特性調整回路を介して調整できるようにされている。
【００１７】
このため、請求項２に記載のイコライザによれば、ＣＡＴＶシステムの伝送経路上の増幅装置内に、入力フィルタ或いは出力フィルタとして、ハイパスフィルタとローパスフィルタとが設けられており、これら各フィルタでの伝送信号の通過特性によって、伝送信号の全伝送周波数のうち、低域側及び高域側の周波数帯域の信号よりも中央の周波数帯域の信号の方が大きく減衰される場合に、第１傾斜特性調整回路及び第２傾斜特性調整回路を介して、第１減衰回路及び第２減衰回路での減衰量の傾斜特性を各々調整することで、伝送信号の伝送特性を所望特性に補正することができる。
【００１８】
次に、請求項３に記載の増幅装置によれば、入力フィルタ、増幅回路、及び出力フィルタからなる当該増幅装置内の伝送経路上に、請求項１又は請求項２に記載のイコライザが設けられていることから、入力フィルタ或いは出力フィルタとして、ハイパスフィルタ、若しくは、ハイパスフィルタとローパスフィルタとを備えていても、当該増幅装置での伝送信号の増幅特性（詳しくは周波数特性）を所望特性に設定することができる。
【００１９】
また、請求項４に記載のＣＡＴＶシステムによれば、伝送経路上に、請求項１又は請求項２に記載のＣＡＴＶシステム用イコライザ、若しくは、請求項３に記載のＣＡＴＶシステム用増幅装置を備えることから、センタ装置から端末側に至る伝送経路上で、増幅装置内の入力フィルタや出力フィルタによって伝送信号の伝送特性（周波数対レベル特性）が劣化するのを防止し、伝送信号を全端末まで適正に伝送することができる。
【発明を実施するための最良の形態】
【００２０】
以下に本発明の実施形態を図面と共に説明する。
図１は本発明が適用された実施形態のＣＡＴＶシステム用増幅装置（以下、単に増幅装置という）の構成を表すブロック図である。
【００２１】
この増幅装置は、ＣＡＴＶシステムの伝送経路（同軸ケーブル等）上に複数分散して設けられ、その伝送経路を介してセンタ装置から端末側に流れる広帯域（本実施形態では７０ＭＨｚ〜７７０ＭＨｚ）の伝送信号（ＣＡＴＶシステムが双方向ＣＡＴＶシステムであれば下り信号）を所定レベルまで増幅するためのものであり、センタ装置側の伝送経路に接続される入力端子２と、端末側の伝送経路に接続される出力端子４とを備える。
【００２２】
また増幅装置内では、入力端子２から出力端子４に至る伝送経路上に、入力端子２側から順に、入力フィルタ１０、低域側イコライザ１２、高域側イコライザ１４、増幅回路１６、出力フィルタ１８が設けられている。
【００２３】
ここで、入力フィルタ１０及び出力フィルタ１８は、当該増幅装置にて増幅すべき伝送信号のみを選択的に通過させるためのものであり、カットオフ周波数７０ＭＨｚのハイパスフィルタと、カットオフ周波数７７０ＭＨｚのローパスフィルタとを伝送経路上に順に配置することにより構成されている。なお、これらハイパスフィルタ及びローパスフィルタは、コンデンサＣとコイルＬとで構成されたアナログフィルタであり、低コストで実現できる。
【００２４】
また、増幅回路１６は、入力フィルタ１０を介して入力された伝送信号を所定レベルまで増幅するための増幅回路であり、トランジスタ等の増幅素子を複数段直列接続することにより構成されている。
【００２５】
また、低域側イコライザ１２は、伝送信号の伝送周波数帯域の略中間に位置する特定周波数（本実施形態では４５０ＭＨｚ）を中心として、特定周波数よりも高い周波数領域では減衰量が略一定量（本実施形態では略０）となり、特定周波数よりも低い周波数領域では、伝送信号の周波数が低くなるほど程減衰量が大きくなり、しかも、その減衰量の周波数に対する傾斜特性（所謂チルト特性）を調整可能に構成されている。
【００２６】
また、高域側イコライザ１４は、低域側イコライザ１２と同じ特定周波数（４５０ＭＨｚ）を中心として、特定周波数よりも低い周波数領域では減衰量が略一定量（本実施形態では略０）となり、特定周波数よりも高い周波数領域では、伝送信号の周波数が高くなるほど程減衰量が大きくなり、しかも、その減衰量の周波数に対する傾斜特性（所謂逆チルト特性）を調整可能に構成されている。
【００２７】
この結果、これら低域側イコライザ１２と高域側イコライザ１４とで構成されるイコライザ全体での伝送信号の減衰量は、図２に示すように、特定周波数（４５０ＭＨｚ）で最も小さくなり（略０）、特定周波数から低周波側及び高周波側では、周波数が特定周波数から離れるほど大きくなり、しかも、各周波数領域での減衰量の傾斜特性（周波数に対する減衰量の傾き）を任意に設定できることになる。
【００２８】
以下、この低域側イコライザ１２及び高域側イコライザ１４の具体的回路構成について、図３を用いて説明する。
図３に示すように、低域側イコライザ１２及び高域側イコライザ１４は、伝送信号を通過させるカップリング用のコンデンサＣ１，Ｃ２，Ｃ３を介して前後の回路と接続されている。
【００２９】
ここでまず、低域側イコライザ１２において、コンデンサＣ１とＣ２との間の伝送経路上には、順方向通電電流量に応じて抵抗値が変化するダイオードＤ１と、コンデンサＣ１０との並列回路が設けられている。なお、ダイオードＤ１は、ＰＩＮダイオード等から構成され、伝送信号の入力側がアノード、伝送信号の出力側がカソードとなるように配置されている。
【００３０】
また、ダイオードＤ１のアノード側の接続点ｂには、抵抗Ｒ１が接続されており、この抵抗Ｒ１の他端は、順方向通電電流量に応じて抵抗値が変化するダイオードＤ２及びコイルＬ１０を介して、グランドラインに接地されている。なお、ダイオードＤ２は、ダイオードＤ１と同様、ＰＩＮダイオード等から構成されており、抵抗Ｒ１との接続点ｃがアノード、コイルＬ１０との接続点がカソードとなるように配置されている。
【００３１】
また、ダイオードＤ２と抵抗Ｒ１との接続点ｃは、コンデンサＣ４と抵抗Ｒ４とを介して、ダイオードＤ１のカソードに接続されると共に、抵抗Ｒ２及び抵抗Ｒ３を介して、ダイオードＤ２のカソードに接続されている。そして、この抵抗Ｒ２と抵抗Ｒ３との接続点には、当該増幅装置の電源ラインから電源電圧（直流定電圧）Ｖｃが印加されている。
【００３２】
また次に、ダイオードＤ１のカソード側の接続点ａには、伝送信号遮断用のコイル（チョークコイル等）Ｌ１を介して、可変抵抗ＶＲ１の摺動接点に接続されている。なお、この可変抵抗ＶＲ１の両端ｐ１，ｐ２は、当該電源装置の電源ラインとグランドラインとに夫々接続されている。また、コイルＬ１と可変抵抗ＶＲ１の摺動接点との間の電流経路には、高周波ノイズを除去するために、一端がグランドラインに接地されたコンデンサＣ５が接続されている。
【００３３】
このように構成された低域側イコライザ１２においては、可変抵抗ＶＲ１の摺動接点をｐ１側（つまり電源ライン側）に移動させると、ダイオードＤ１のカソード側の接続点ａの電位が上昇して、ダイオードＤ１に流れる電流が減少し、ダイオードＤ１による伝送信号の阻止量が増加する。
【００３４】
また、このようにダイオードＤ１に流れる電流が減少すると、抵抗Ｒ１とダイオードＤ２との接続点ｃの電位が上昇して、ダイオードＤ２に流れる電流が増加し、ダイオードＤ２による伝送信号の阻止量が減少する。
【００３５】
この結果、コンデンサＣ１０及びコイルＬ１０が充分機能するようになり、低域側イコライザ１２での伝送信号の伝送特性が、図２に示した傾きの大きいチルト特性となる。
一方、可変抵抗ＶＲ１の摺動接点をｐ２側（つまりグランドライン側）に移動させると、ダイオードＤ１のカソード側の接続点ａの電位が低下して、ダイオードＤ１に流れる電流が増加し、ダイオードＤ１による伝送信号の阻止量が減少する。
【００３６】
また、このようにダイオードＤ１に流れる電流が増加すると、抵抗Ｒ１とダイオードＤ２との接続点ｃの電位が低下して、ダイオードＤ２に流れる電流が減少し、ダイオードＤ２による伝送信号の阻止量が増加する。
【００３７】
この結果、コンデンサＣ１０及びコイルＬ１０の機能が低下し、低域側イコライザ１２での伝送信号の伝送特性が、図２に示した傾きの小さいチルト特性となる。
次に、高域側イコライザ１４において、コンデンサＣ２とＣ３との間の伝送経路上には、順方向通電電流量に応じて抵抗値が変化するダイオードＤ３と、コイルＬ２０との並列回路が設けられている。なお、ダイオードＤ３は、ダイオードＤ１、Ｄ２と同様、ＰＩＮダイオード等から構成されており、伝送信号の入力側がアノード、伝送信号の出力側がカソードとなるように配置されている。
【００３８】
また、ダイオードＤ３のアノード側の接続点ｅには、抵抗Ｒ５が接続されており、この抵抗Ｒ５の他端は、順方向通電電流量に応じて抵抗値が変化するダイオードＤ４及びコイルＬ３とコンデンサＣ２０との並列回路を介して、グランドラインに接地されている。なお、ダイオードＤ４は、ダイオードＤ１〜Ｄ３と同様、ＰＩＮダイオード等から構成されており、抵抗Ｒ５との接続点ｆがアノード、コイルＬ３及びコンデンサＣ２０との接続点がカソードとなるように配置されている。
【００３９】
また、ダイオードＤ４と抵抗Ｒ５との接続点ｆは、コンデンサＣ６と抵抗Ｒ８とを介して、ダイオードＤ３のカソードに接続されると共に、抵抗Ｒ６及び抵抗Ｒ７を介して、ダイオードＤ４のカソードに接続されている。そして、この抵抗Ｒ６と抵抗Ｒ７との接続点には、当該増幅装置の電源ラインから電源電圧（直流定電圧）Ｖｃが印加されている。
【００４０】
また次に、ダイオードＤ３のカソード側の接続点ｄには、伝送信号遮断用のコイル（チョークコイル等）Ｌ２を介して、可変抵抗ＶＲ２の摺動接点に接続されている。なお、この可変抵抗ＶＲ２の両端ｐ１，ｐ２は、当該電源装置の電源ラインとグランドラインとに夫々接続されている。また、コイルＬ２と可変抵抗ＶＲ２の摺動接点との間の電流経路には、高周波ノイズを除去するために、一端がグランドラインに接地されたコンデンサＣ７が接続されている。
【００４１】
このように構成された高域側イコライザ１４においては、可変抵抗ＶＲ２の摺動接点をｐ１側（つまり電源ライン側）に移動させると、ダイオードＤ３のカソード側の接続点ｄの電位が上昇して、ダイオードＤ３に流れる電流が減少し、ダイオードＤ３による伝送信号の阻止量が増加する。
【００４２】
また、このようにダイオードＤ３に流れる電流が減少すると、抵抗Ｒ５とダイオードＤ４との接続点ｆの電位が上昇して、ダイオードＤ４に流れる電流が増加し、ダイオードＤ４による伝送信号の阻止量が減少する。
【００４３】
この結果、コイルＬ２０及びコンデンサＣ２０が充分機能するようになり、高域側イコライザ１４での伝送信号の伝送特性が、図２に示した傾きの大きい逆チルト特性となる。
一方、可変抵抗ＶＲ２の摺動接点をｐ２側（つまりグランドライン側）に移動させると、ダイオードＤ３のカソード側の接続点ｄの電位が低下して、ダイオードＤ３に流れる電流が増加し、ダイオードＤ３による伝送信号の阻止量が減少する。
【００４４】
また、このようにダイオードＤ３に流れる電流が増加すると、抵抗Ｒ５とダイオードＤ４との接続点ｆの電位が低下して、ダイオードＤ４に流れる電流が減少し、ダイオードＤ４による伝送信号の阻止量が増加する。
【００４５】
この結果、コイルＬ２０及びコンデンサＣ２０の機能が低下し、高域側イコライザ１４での伝送信号の伝送特性が、図２に示した傾きの小さい逆チルト特性となる。
以上説明したように、本実施形態のＣＡＴＶシステム用増幅装置には、ローパスフィルタとハイパスフィルタとで構成された入力フィルタ１０及び出力フィルタ１８が設けられている。このため、これら各フィルタ１０、１８での伝送信号の通過特性によって、伝送信号の全伝送周波数帯域において、低周波側及び高周波側の周波数領域よりも、中央の周波数領域の方が大きく減衰されることになる。
【００４６】
しかし、本実施形態では、これら各フィルタ１０、１８で生じる伝送信号の減衰特性を補正するために、低域側イコライザ１２及び高域側イコライザ１４が設けられており、これら各イコライザ１２、１４を介して、伝送信号の全伝送周波数帯域において、特定周波数よりも低周波側では伝送信号をチルト特性にて減衰させ、特定周波数よりも高周波側では伝送信号を逆チルト特性にて減衰させることができる。
【００４７】
また、これら各周波数領域での伝送信号の傾斜特性は、各イコライザ１２、１４内に設けられた可変抵抗ＶＲ１，ＶＲ２を操作することにより、手動で調整できるようにされている。
【００４８】
このため、本実施形態の増幅装置によれば、入力フィルタ１０及び出力フィルタ１８での伝送信号の通過特性の影響を受けることなく、伝送信号の増幅特性（詳しくは周波数特性）を所望特性に設定することができる。
【００４９】
なお、本実施形態において、低域側イコライザ１２は、本発明の第１減衰回路に相当し、低域側イコライザ１２内の可変抵抗ＶＲ１は、本発明の第１傾斜特性調整回路に相当する。また、高域側イコライザ１４は、本発明の第２減衰回路に相当し、高域側イコライザ１４内の可変抵抗ＶＲ２は、本発明の第２傾斜特性調整回路に相当する。
【００５０】
以上、本発明の一実施形態について説明したが、本発明は、上記実施形態に限定されるものではなく、本発明の要旨を逸脱しない範囲内にて、種々の態様をとることができる。
例えば、上記実施形態では、低域側イコライザ１２及び高域側イコライザ１４は、ＣＡＴＶシステムの伝送経路上に設けられる増幅装置に内蔵されるものとして説明したが、これら各イコライザ１２、１４は、ＣＡＴＶシステムの伝送経路上に直接設けるようにしてもよく、増幅装置とは異なる他の伝送機器に内蔵するようにしてもよい。
【００５１】
また、上記実施形態では、センタ装置から端末側に下り信号を伝送するＣＡＴＶシステムにおいて、その下り信号を増幅するのに使用される増幅装置を例に取り説明したが、本発明は、双方向ＣＡＴＶシステムであっても、或いは、そのシステムで使用される双方向増幅装置であっても、適用できるのはいうまでもない。
【００５２】
また更に、上記実施形態では、伝送信号の全伝送周波数領域が７０ＭＨｚ〜７７０ＭＨｚであり、イコライザ１２、１４は、その周波数領域内の４５０ＭＨｚを特定周波数として、この特定周波数よりも低周波側及び高周波側の伝送信号を所定の傾斜特性で減衰させるものとして説明したが、これら各周波数は、本発明を適用するＣＡＴＶシステムに合わせて適宜設定すればよく、例えば、各イコライザ１２、１４において、特定周波数を異なる周波数に設定してもよい。
【図面の簡単な説明】
【００５３】
【図１】実施形態のＣＡＴＶシステム用増幅装置の回路構成を表すブロック図である。
【図２】図１に示す低域側イコライザ及び高域側イコライザの減衰特性を説明する説明図である。
【図３】図１に示す低域側イコライザ及び高域側イコライザの具体的回路構成を表す電気回路図である。
【符号の説明】
【００５４】
２…入力端子、４…出力端子、１０…入力フィルタ、１２…低域側イコライザ、１４…高域側イコライザ、１６…増幅回路、１８…出力フィルタ、Ｌ１０，Ｌ２０，Ｌ１，Ｌ２…コイル、Ｃ１０，Ｃ２０，Ｃ１〜Ｃ７…コンデンサ、Ｄ１〜Ｄ４…ダイオード、Ｒ１〜Ｒ８…抵抗、ＶＲ１，ＶＲ２…可変抵抗。
【図１】
2009201022.tif 000003
【図２】
2009201022.tif 000004
【図３】
2009201022.tif 000005